(57)【要約】  主に音声を再生する、また映像を再生する、マルチメディアデータオブジェクトを再生する携帯機器は、広く知られている。これらの機器は、限られた利用可能なエネルギーを有することで知られているバッテリーにより電力を供給される。これは、もはや利用可能なエネルギーがなくなり、再生されるマルチメディアデータオブジェクトが完全に再生されない危険を持ち合わせている。これは、ユーザーを不満にさせる。従って、バッテリーのエネルギー量は検査され、再生するよう選択されたマルチメディアデータオブジェクトは、完全に再生可能な場合に、再生される。そのマルチメディアデータオブジェクトは、完全に再生できない場合は、再生されない。本発明による実施例では、この検査は選択されたマルチメディアデータオブジェクトのグループに対して行われる。
2007520022.tif 000002
【特許請求の範囲】
【請求項１】
バッテリーにより電力を供給される再生回路によるマルチメディアデータオブジェクト再生方法であって：
ａ）前記再生回路による再生を予定された少なくとも１つのマルチメディアデータオブジェクトへの少なくとも１つの参照のリストを提供する段階；
ｂ）前記リストで参照された前記マルチメディアデータオブジェクトの再生に必要なエネルギー量を決定する段階；
ｃ）前記バッテリーにより供給可能なエネルギー量を決定する段階；及び
ｄ）前記バッテリーにより供給可能なエネルギー量が前記マルチメディアデータオブジェクトの再生に必要なエネルギー量と等しい又は多い場合に、再生のための前記マルチメディアデータオブジェクトを再生する段階、を有する、マルチメディアデータオブジェクト再生方法。
【請求項２】
前記リストは、マルチメディアデータオブジェクトへの複数の参照を有し、及び前記方法は、前記バッテリーにより供給可能なエネルギー量で全てを再生可能な複数のマルチメディアデータオブジェクトのグループを選択する段階を更に有する、請求項１記載の方法。
【請求項３】
前記マルチメディアデータオブジェクトのグループの選択は、ユーザー選択の特徴に基づく、請求項２記載の方法。
【請求項４】
前記装置はディスプレイを更に有し、及び前記方法は：
ａ）前記ディスプレイに前記リストを表示する段階；及び
ｂ）前記バッテリーにより供給可能なエネルギー量でそれぞれ再生できるマルチメディアデータオブジェクトへの全ての参照を強調表示する段階、を更に有する、請求項１記載の方法。
【請求項５】
前記装置はディスプレイを更に有し、及び前記方法は：
ａ）前記リストを前記ディスプレイで表示する段階；及び
ｂ）前記バッテリーにより供給可能なエネルギー量で全て再生できるマルチメディアデータオブジェクトへの参照のグループを強調表示する段階、を更に有する、請求項１記載の方法。
【請求項６】
ユーザーは、マルチメディアオブジェクトへの参照の複数のグループを閲覧でき、それぞれのグループは、前記バッテリーにより供給可能なエネルギー量で全てを完全に再生できるマルチメディアオブジェクトを参照する、請求項２記載の方法。
【請求項７】
前記参照のグループは、ユーザー選択の特徴を利用して強調表示される、請求項４記載の方法。
【請求項８】
前記方法は、前記選択されたオブジェクトは前記バッテリーに残されたエネルギー量で完全に再生できることを示す段階を更に有する、請求項１記載の方法。
【請求項９】
バッテリーにより電力を供給されるマルチメディアデータオブジェクト再生回路であって：
ａ）マルチメディアデータオブジェクトを再生する再生回路；
ｂ）（ｉ）前記再生回路による再生を予定された少なくとも１つのマルチメディアデータオブジェクトへの少なくとも１つの参照のリストを提供し；
（ｉｉ）前記マルチメディアデータオブジェクトの再生に必要なエネルギー量を決定し；
（ｉｉｉ）前記バッテリーにより供給可能なエネルギー量を決定し；及び
（ｉｖ）バッテリーにより供給可能なエネルギー量が前記マルチメディアデータオブジェクトの再生に必要なエネルギー量と等しい又は多い場合に、前記再生部により前記マルチメディアデータオブジェクトを再生させるよう構成される、中央演算処理装置、
を有する、マルチメディアデータオブジェクト再生回路。
【請求項１０】
マルチメディアデータオブジェクト再生装置であって、請求項９記載の回路及びマルチメディアオブジェクトを前記再生部へ提供する手段を有する、マルチメディアデータオブジェクト再生装置。
【発明の詳細な説明】
【技術分野】
【０００１】
本発明は、バッテリーにより電力を供給される再生回路によるマルチメディアデータオブジェクト再生方法に関する。
【０００２】
本発明は、バッテリーにより電力を供給されるマルチメディアデータオブジェクト再生回路に更に関する。
【０００３】
本発明はまた、前記回路を有するマルチメディアデータオブジェクト再生装置に関する。
【背景技術】
【０００４】
特許文献１は、携帯マルチメディア機器におけるバッテリー状態の制御及び管理方法を開示している。データは、バッテリーに残されたエネルギーの一部だけ必要とする方法で、又は大量のエネルギーを利用する方法で、処理される。方法の実施例では、ビデオストリームのＩフレームのみが再生され、少ないエネルギーを利用する。これは例えば完全なビデオストリームを再生するために充分なエネルギーが残されていない場合に行われる。
【０００５】
この方法は、ビデオが再生されるべきデータの主要部分でなく、及び多くの情報を有さない場合の選択肢であって良い。しかしながら、フレームのわずか約１０％が再生される場合、少なくとも説明された実施例は、映画の再生に利用されるべき選択肢ではない。またクラシック音楽が再生される場合、この実施例は、縮小した又は要約した音楽を再生するための選択肢ではない。これは、ユーザーは音楽の明らかに核心でない、微細な部分を逃してしまうためであり、１０％だけが再生される場合のような、いくつかの場合には不快である。
【特許文献１】英国特許第２３７８８６２号明細書
【発明の開示】
【発明が解決しようとする課題】
【０００６】
本発明の目的は、選択されたマルチメディアデータオブジェクトが再生される場合、それらがバッテリーに残されたエネルギー量で完全に再生されることを保証する方法を提供することである。
【課題を解決するための手段】
【０００７】
この目的を達成するため、本発明は、再生回路による再生を予定された少なくとも１つのマルチメディアデータオブジェクトへの少なくとも１つの参照のリストを提供する段階、前記リストで参照された前記マルチメディアデータオブジェクトの再生に必要なエネルギー量を決定する段階、バッテリーにより供給可能なエネルギー量を決定する段階、及び前記バッテリーにより供給可能なエネルギー量が前記マルチメディアデータオブジェクトの再生に必要なエネルギー量と等しい又は多い場合に、再生のための前記マルチメディアデータオブジェクトを再生する段階、を有する、方法を提供する。
【０００８】
これは、完全に再生できないマルチメディアデータオブジェクトは、再生するよう選択されても、再生されないことを意味する。これは、本発明による方法を適用する装置を利用するユーザーの失望を防止する。装置にエネルギーを提供するバッテリーが、マルチメディアデータオブジェクトがまだ完全に再生されていない間に、それ以上残されたエネルギーを有さない場合、ユーザーは、映画の粗筋のような、再生されるべきマルチメディアデータオブジェクトの核心部分を逃すかも知れない。これは、非常に不快である。しかしながら、マルチメディアデータオブジェクトの明らかに核心でない、微細な部分を逃すことはまた、例えばクラシックコンサートのように、場合によっては、不快になり得る。
【０００９】
本発明による方法の実施例では、リストは、マルチメディアデータオブジェクトへの複数の参照を有する。また方法は、バッテリーにより供給可能なエネルギー量で全てを再生可能な複数のマルチメディアデータオブジェクトのグループを選択する段階を更に有する。
【００１０】
マルチメディアデータオブジェクトが比較的小さく、例えば、主にＭＰ３標準（ＭＰＥＧ−１、レイヤー３エンコーディング）に従い圧縮された音楽を有し、及びバッテリーが依然として充分に残っている場合、複数のマルチメディアデータオブジェクトが、バッテリーに残されているエネルギー量で再生できる（現状、ＭＰ３プレイヤーは、１つの単４大のバッテリーにより供給可能なエネルギーで１０時間の音楽を再生できる）。相互に関連するマルチメディアデータオブジェクトのグループ、例えばコンサートの種々の部分が選択された場合、選択された全てがバッテリーにより供給可能なエネルギー量で再生できることが望ましい。
【００１１】
本発明による方法の更なる実施例では、装置は、ディスプレイをさらに有する。また方法は、前記ディスプレイにリストを表示する段階、及びバッテリーにより供給可能なエネルギー量で全て再生できるマルチメディアデータオブジェクトへの参照のグループを強調表示する段階を更に有する。
【００１２】
この実施例は、ユーザーは、バッテリーの所与のエネルギー量で再生できるアイテムの完全なリストを知らされる、という利点を提供する。
【００１３】
本発明の更なる実施例では、また、方法は、選択されたオブジェクトはバッテリーに残されたエネルギー量で完全に再生できることを示す段階を更に有する。
【００１４】
本発明によると、バッテリーに残されたエネルギー量で完全に再生できないマルチメディアデータオブジェクトは単に再生されない。ユーザーは、この状況は、そのマルチメディアデータオブジェクトのデータフォーマットが対応されていないからであると推測するかも知れない。オブジェクトを完全に再生するエネルギー量のため、マルチメディアデータオブジェクトは再生できないという表示を提供する場合、この問題は解決する。
【００１５】
本発明による回路は、マルチメディアデータオブジェクトを再生する再生回路、前記再生回路による再生を予定された少なくとも１つのマルチメディアデータオブジェクトへの少なくとも１つの参照のリストを提供し、前記マルチメディアデータオブジェクトの再生に必要なエネルギー量を決定し、バッテリーにより供給可能なエネルギー量を決定し、前記バッテリーにより供給可能なエネルギー量が前記マルチメディアデータオブジェクトの再生に必要なエネルギー量と等しい又は多い場合に、再生部により前記マルチメディアデータオブジェクトを再生させるよう構成される、中央演算処理装置、を有する。
【００１６】
本発明による装置は、マルチメディアオブジェクトを再生部へ提供する回路及び方法を有する。
【発明を実施するための最良の形態】
【００１７】
本発明は、種々の図を用いより詳細に説明される。
【００１８】
図１に示される家庭用電子機器１００は、本発明による装置の実施例である。家庭用電子機器１００は、電子機器１００の種々の要素を制御する中央演算処理装置としてマイクロプロセッサー１０１、マルチメディアデータオブジェクトを格納するメモリーとしてハードディスクドライブ１０２、マルチメディアデータオブジェクトを再生する再生回路１０３、前記装置１００の状態情報を表示し及び再生されたマルチメディアデータオブジェクトを表示するディスプレイ１０４、再生される音情報を再現するスピーカー１０５、ユーザーに前記装置１００を制御させるユーザー入力部１０６、前記装置１００の種々の要素にエネルギーを供給し正しい動作を保証するバッテリー１０７、を有する。前記装置はまた、前記バッテリー１０７のエネルギー量を判定するバッテリーエネルギーモニター１０８を有する。ハードディスクドライブ１０２の周りの破線は、本発明のこの実施例では、ハードディスクドライブ１０２は取り外し可能であることを示す。
【００１９】
破線はデータ転送を示し、実線はエネルギー転送を示す。簡単のため、斜線を有する実線は、正及び負の配線を示す。
【００２０】
ユーザーは、再生する（本願において再現を包含して良い）マルチメディアデータオブジェクトを、ユーザー入力部１０６を用い装置１００を制御することにより、選択できる。ユーザー入力信号は、マイクロコントローラー１０１へ供給される。このように、リスト１１０は、ディスプレイ１０４及びスピーカー１０５のような他の手段で提示されるために、メモリー１０２に格納され再生部１０３による再生を予定されたマルチメディアデータオブジェクトへの参照で形成される。リスト１１０は、ディスプレイ１０４で表示される。
【００２１】
装置１００は、バッテリー１０７により電力を供給されるので、装置１００に供給されるエネルギー量は無限ではない。これは、ハードディスクドライブ１０２に格納されたコンテンツの一部だけが、バッテリー１０７に蓄えられたエネルギー量で再生できることと同様であり得る。装置１００のユーザーは、全ての格納されたマルチメディアデータオブジェクトを再生するよう選択することは滅多にないだろうが、４０ＧＢのハードディスクは、６００時間以上の音楽を格納できる。おそらく最大限でもその１０％が、便利な容量のバッテリーにより供給されるエネルギー量で再生できる。４０ＧＢが格納するビデオは遙かに短い時間だが、ビデオを正しく再生及び再現するにはより多くのエネルギーが必要とされる。
【００２２】
従って、再生されるべきマルチメディアデータオブジェクトの優先順位付けが必要である。更に、利用可能なバッテリーのエネルギー量で完全に再生できるマルチメディアデータオブジェクトだけ、つまり各マルチメディアデータオブジェクト又はそれらの全てのいずれかを（連続−音楽又はビデオの場合に最も望ましい、又は平行−静止画データの場合に最も望ましい、の何れかで）選択することが望ましい。マルチメディアデータオブジェクトがまだ完全に再生されていない間に、バッテリー１０７がそれ以上残されたエネルギーを有さない場合、ユーザーは、映画の粗筋のような、再生されるべきマルチメディアデータオブジェクトの核心部分を逃し得る。これは、非常に不快である。しかしながら、また、マルチメディアデータオブジェクトの明らかに核心でない、微細な部分を逃すことは、例えばクラシックコンサートのように、場合によっては、不快になり得る。
【００２３】
このような場合は、ユーザーは、マルチメディアデータオブジェクトが完全に再生されるか又は全く再生されないかの何れかを望むだろう。従って、本発明によると、バッテリー１０７により供給可能なエネルギー量がマルチメディアデータオブジェクトの再生に必要なエネルギー量に等しい又は多い場合にのみ、マルチメディアデータオブジェクトを再生する。
【００２４】
マイクロプロセッサー１０１及び再生回路１０３は、本発明による回路の実施例を構成する。
【００２５】
図２は、本発明による方法の実施例を図示するフローチャート２００を示す。処理段階の参照符号は、以下に説明される。処理は、図１の装置１００を用い説明される。
【００２６】
２０２  再生するマルチメディアデータオブジェクトのリストを提供する。  
２０４  バッテリーの利用可能なエネルギー量を決定する。  
２０６  リストで参照された各マルチメディアデータオブジェクトの再生及び再現に必要なエネルギー量を決定する。  
２０８  バッテリーにオブジェクトの再生に充分なエネルギーがあるか？  
２１０  リストで参照された全てのマルチメディアデータオブジェクトを再生する。  
２１２  次の再生リストを用意する。  
２２０  再生リストのオブジェクトを選択解除する。
【００２７】
処理は開始点２０２で開始し、リスト１１０を提供する。このリストは、種々の方法で提供され得る。例えば、マルチメディアデータオブジェクトは、ハードディスクドライブ１０２の１つのディレクトリにグループ化されるか、又はハードディスクドライブ１０２でマルチメディアデータオブジェクトへの参照を有するファイルが提供されても良い。この実施例では、リスト１１０で参照された全てのマルチメディアデータオブジェクトは、再生のため選択される。更なる実施例では、いくつかのマルチメディアデータオブジェクトは、事前に選択され、いくつかは選択されない。
【００２８】
続いて、段階２０４では、バッテリー１０７に残されたエネルギー量は、バッテリーエネルギーモニター１０８により決定される。これを行う種々の方法は、当業者には既知である。またこの決定では、種々のパラメーターが考慮されて良い。例えば周囲温度及びバッテリーから引き出される平均電流（の期待値）である。このようなパラメーターは、バッテリーが供給可能なエネルギー量に影響するためである。
【００２９】
続く段階２０６では、リスト１１０で参照される各マルチメディアデータオブジェクトに対し、再生及び再現に必要なエネルギー量が計算される。種々のパラメーターが、必要なエネルギー量を決定するために考慮されて良い。パラメーターの例として、ファイルサイズ、符号化（復号化）アルゴリズム、データが符号化されているビットレート、データの又はデータが再現される音量又は輝度がある。しかし、ハードディスク１０２におけるデータ分割比、種々の要素の平均エネルギー損失及び周囲温度のような記憶装置又はハードウェアのパラメーターもまた、考慮されて良い。
【００３０】
段階２０４及び段階２０６の順序は、入れ替え又は両者とも並列に実行されて良い。これは本発明の範囲と無関係である。
【００３１】
再生及び再現に利用可能なエネルギー量及び同じ目的のために必要なエネルギー量の後、両方のエネルギー量は決定処理段階２０８で比較される。リストで参照される全てのマルチメディアデータオブジェクトの再生に必要なエネルギー量が、バッテリー１０７により全て供給可能な場合、処理は次の段階２１０へ続く。
【００３２】
処理段階２１０では、リスト１１０が参照を有する全てのマルチメディアデータオブジェクトは、ディスプレイ１０４又はスピーカー１０５又は両者、何れでも適切なものにより、再生及び再現される。
【００３３】
リストの全てのマルチメディアデータオブジェクトを再生すると、処理は終了点２１２で終了し、装置１００は再生するオブジェクトへの参照を有する別のリストを受信する状態になる。
【００３４】
一方、決定段階２０８で、リスト１１０で参照される全てのマルチメディアデータオブジェクトを正しく再生するために必要なエネルギー量が、バッテリー１０７により供給できないと決定された場合、処理は処理段階２２０へ分岐し、リスト１１０のオブジェクトは再生のための選択を解除される。本発明のこの実施例では、これは、リスト１１０から最後の参照の選択を解除することにより行われる。リストから参照を選択解除すると、選択されたアイテムの再生に必要なエネルギー量が段階２０６で再び決定される。その後、両方のエネルギー量は、決定段階２０８で再び比較される。必要なエネルギー量が依然として充分でない場合、処理段階２２０でリストから次の参照が選択解除される。段階２０６、２０８及び２２０は、全てのマルチメディアデータオブジェクトの再生に必要なエネルギー量がバッテリー１０７により供給可能になるまで、繰り返される。
【００３５】
また、バッテリーが再生のために充分なエネルギーを供給できないマルチメディアデータオブジェクトへの全ての参照が同時に選択解除されても良い。本発明による方法の更に別の実施例では、リスト１１０からのアイテムの選択解除の選択は、装置１００のユーザーに任される。更に別の実施例では、装置１００はユーザープロファイルをハードディスク１０２に格納し、ユーザーにより最も選ばれないアイテムだけがリスト１１０から削除される。また別の実施例は、リスト１１０はディスプレイ１０４に表示され、利用可能なエネルギー量で画像の再生及び音の再生が可能なマルチメディアデータオブジェクトへの参照のグループは図３に示されるように強調表示されるという、選択肢を提供する。図示された例では、ユーザーは、ヨハン・セバスチャン・バッハにより作曲された音楽を選択している。
【００３６】
本発明による方法の更なる実施例では、マルチメディアデータオブジェクトへの参照は、リスト１１０で選択解除されないが、リスト１１０から削除される。
【００３７】
初期状態では、装置１００はリスト１１０で、マルチメディアデータオブジェクトへの参照を、先頭から依然として再生及び再現が可能なデータオブジェクトへの参照まで選択し強調表示する。第１の参照されたマルチメディアデータオブジェクトが、バッテリー１０７の利用可能なエネルギー量で再生できない場合、利用可能なエネルギー量で再生及び再現が可能な次のマルチメディアデータオブジェクトへの参照は、強調表示され再生のために選択される。他のマルチメディアデータオブジェクトは、ユーザーが本発明による方法を実行しないよう装置１００を設定しない限り再生に利用できない。
【００３８】
本発明の更なる実施例では、以上に説明された実施例に基づき、ユーザーは、例えばジャンル、アーティスト又は作曲者への参照を有するユーザープロファイルを考慮に入れて指定できる。リストが種々の作曲者のソナタをランダムに参照し、及びユーザーがシューベルトのソナタを選択する場合、装置１００（又は実際には、マイクロプロセッサー１０１）は、先ずシューベルトのどのソナタが再生及び再現できるか、リスト１１０におけるそれらの位置と無関係に検査する。それらが全て再生及び再現できる場合、マイクロプロセッサー１０１は、シューベルトの全ての参照されたソナタが再生された時に、残されたエネルギー量で再生可能なリスト内の次の参照されたマルチメディアデータオブジェクトを検査する。
【００３９】
当業者は、バッテリー１０７の所与のエネルギー量で依然として再生可能なオブジェクトを選択する種々の選択肢が可能であることを直ちに理解するだろう。それらは全て異なるプロファイル、例えば同一のアーティスト又は同一のジャンルを有するマルチメディアデータオブジェクトの異なる選択肢を有して良い。更に別の実施例では、ユーザーは、ユーザー入力部１０６を利用して種々の選択肢を閲覧できる。このために、ユーザー入力部１０６は、例えば調整つまみ又は左／右カーソルボタンを有する。ボタンを押す毎に、再生されるべきマルチメディアデータオブジェクトの異なる選択肢が、ディスプレイ１０４に提示される。また、選択されたマルチメディアデータオブジェクトの共通点、例えばジャンルが表示される。
【００４０】
本発明の更に別の実施例では、再生されるべきマルチメディアデータオブジェクトの種々の選択肢が、ランダムに選択される。
【００４１】
環境パラメーター、例えば周囲温度の変化により、最初にバッテリーにより供給可能だったエネルギー量は、結局、バッテリーにより供給できない場合がある。従って、本発明の実施例によると、バッテリーエネルギーモニター１０８は、規則的間隔でバッテリー１０７に残されたエネルギー量を監視する。装置１００の動作中に、全てのマルチメディアデータオブジェクトが図２に図示された方法により最初に選択なかったと分かった場合、マルチメディアデータオブジェクトへの他の参照は、選択解除又はリスト１１０から削除される。
【実施例】
【００４２】
図４は、本発明による装置の別の実施例として別の装置４００を示す。明確化のため、装置１００に存在し別の装置４００にも存在する要素は、同一の参照符号で参照される。更なる装置４００では、ハードディスクドライブ１０２は、再生のためのマルチメディアデータオブジェクトを受信する通信部４０２により置き換えられている。本発明による装置のこの実施例は、以上に説明された本発明による方法の実施例をより重要にする。なぜなら、現在の通信部で消費されるエネルギー量は、（アンテナのような）マルチメディアデータオブジェクトの情報源から更なる装置４００の距離と共に変化するからである。
【００４３】
本発明の種々の実施例を説明したが、当業者には、本発明の基本から逸脱することなく本発明の種々の実施例が可能であることが明らかだろう。それらの実施例及び他の実施例は、以上に説明されたように実施例を置き換えることができる。
【００４４】
纏めると、本発明は、主に音声を再生する、また映像を再生するマルチメディアデータオブジェクトを再生する広く知られている携帯機器に関する。これらの機器は、限られた利用可能なエネルギーを有することで知られているバッテリーにより電力を供給される。これは、もはや利用可能なエネルギーがなくなり、再生されるマルチメディアデータオブジェクトが完全に再生されない危険を持ち合わせている。これは、ユーザーを不満にさせる。従って、バッテリーのエネルギー量は検査され、再生するよう選択されたマルチメディアデータオブジェクトは、完全に再生可能な場合に、再生される。それが完全に再生できない場合は、再生されない。本発明による実施例では、この検査は選択されたマルチメディアデータオブジェクトのグループに対して行われる。
【図面の簡単な説明】
【００４５】
【図１】本発明による装置の実施例を示す。
【図２】本発明による方法の実施例を図示するフローチャート２００を示す。
【図３】プレイリストを示す。
【図４】本発明による装置の第２の実施例を示す。
【図１】
2007520022.tif 000003
【図２】
2007520022.tif 000004
【図３】
2007520022.tif 000005
【図４】
2007520022.tif 000006
【国際調査報告】
2007520022.tif 000007
2007520022.tif 000008
2007520022.tif 000009